【事件の表示】
　特願２００７−　９９７８３「大入賞口ユニットおよび遊技機」拒絶査定不服審判事件〔平成２０年１０月２３日出願公開、特開２００８−２５３５７３〕について、次のとおり審決する。
【結　論】
　本件審判の請求は、成り立たない。
【理　由】
１．手続の経緯 
　本願の手続の経緯概要は以下のとおりである。
　平成１９年　４月　５日　出願
　平成２１年１０月１３日　拒絶理由通知
　平成２１年１２月　２日　手続補正
　平成２２年　３月　２日　拒絶理由通知（最後）
　平成２２年　５月　７日　意見書
　平成２２年　６月２９日　拒絶理由通知（最後）
　平成２２年　８月２３日　手続補正Ａ
　平成２２年１２月２１日　補正却下（手続補正Ａ）、拒絶査定　
　平成２３年　４月　４日　拒絶査定不服審判請求、手続補正
　平成２３年　６月　３日　審尋
　平成２３年　８月　８日　回答書
　　 
２．本願発明  
　平成２２年８月２３日付けの手続補正は平成２２年１２月２１日付けで却下されているので、平成２３年４月４日付けの手続補正は平成２１年１２月２日付け手続補正により補正された特許請求の範囲、明細書及び図面を補正するものである。
　そして、平成２３年４月４日付けの手続補正は、旧請求項１を引用する旧請求項２を独立形式として新請求項１とするとともに、旧請求項１を削除する補正事項を含むものであって、請求項の削除を目的とすることを含むものである。
　そうすると、本願の請求項１に記載された発明は、平成２３年４月４日付けの手続補正により補正された特許請求の範囲の請求項１に記載された以下のとおりのものと認める。
「蓋部材と、
　蓋部材を開閉駆動する駆動手段と、
　蓋部材の開閉にともなって移動する磁石部材と、
　前記蓋部材が閉じた状態において、前記磁石部材の磁気を検出せず、前記蓋部材が開いた状態において、前記磁石部材の磁気を検出する位置に設けられ、磁気を検出した場合に、磁気検出信号を出力する磁気検出手段と、
　を備え、
　前記磁石部材は、前記蓋部材に一体に形成された突起部分に設けられていることを特徴とする大入賞口ユニット。」（以下、「本願発明」という。） 
　 
３．引用文献１及び引用発明　 
　原査定の拒絶の理由（平成２２年６月２９日拒絶理由通知）で引用された特開平８−８０７号公報（以下、「引用文献１」という。）には、以下の記載がある。  
　
【０００１】
【産業上の利用分野】本発明は、遊技盤面上に設けられた可変入賞装置が不正な手段で強制的に開かれ賞球を得ようとする不正行為を未然に防止できるようにしたパチンコ機の不正防止装置に関するものである。
【００１１】また、７は該入賞スイッチ５の下側に設けられたチューリップ型の可変入賞装置で、該可変入賞装置７は図４に示したように取付枠８に一対の可動翼片９，９が軸支され該取付枠８の裏側に電気的駆動源たるソレノイド１０が設けられ、該ソレノイド１０が作動すると軸１１に支持されたリンク１２が傾動し可動翼片９，９が逆八字状に開動される。また、１３は該取付枠８の外側面に該可動翼片９，９の開閉状態を検出するために設けられた検出スイッチたるリードスイッチ、１４は該リードスイッチ１３を作動させるためリンク１２に固着された永久磁石である。なお、該取付枠８の裏側には該可動翼片９，９間に入賞した打球を検出するための入賞スイッチ１５が設けられている。
【００１２】また、１６は遊技盤２面上該可変入賞装置７の下に設けられたアタッカー型の可変入賞装置で、該可変入賞装置１６は図５に示したように取付枠１７に長方形状の大入賞口１８が形成され、該大入賞口１８の下縁に電気的駆動源たるソレノイド１９の作動により開閉動する開閉扉２０が軸支されている。そして該開閉扉２０の裏側両側縁に一体に形成されている可動片２２に永久磁石２３を固着すると共に、取付枠１７の裏側に形成された箱体２４に開閉扉２０の開閉状態を検出するための検出スイッチたるリードスイッチ２５を取着している。なお、２６は大入賞口１８に入賞した打球を検出するめの入賞スイッチである。
【００２０】また、可変入賞装置７に打球が入賞し入賞スイッチ１５が作動した場合にも、ワンショットマルチバイブレータ４２より出力される開指令信号がタイマー５２を介してナンドゲート４９に入力され、その状況で開閉扉２０が開き検出スイッチ２５が作動するので前記フリップフロップ４６の出力はハイレベルに保たれたままで発光ダイオード５４は点灯せずリレーコイル５５は励磁せず常閉リレー接点５６は閉止状態を保ち打球を継続して発射できる。
【００２２】また、可変入賞装置１６の開閉扉２０を上記のような不正手段で強制的に開けた場合もワンショットマルチバイブレータ４２より開指令信号が出ていないにも拘らず検出スイッチ２５から開状態の検出信号がナンドゲート４９に受信されるので該ナンドゲート４９の出力が反転し上記と同様にフリップフロップ４６の出力をローレベルにしてラッチが掛かりただちに打球の発射を不能にする。
　
　段落【００１１】における「１４は該リードスイッチ１３を作動させるためリンク１２に固着された永久磁石である。」との記載及び技術常識によれば、段落【００１２】における「永久磁石２３」は「検出スイッチたるリードスイッチ２５」を作動させるものであることは当業者にとって自明である。
　そして、上記記載および技術常識に基づけば、引用文献１には次の発明が記載されていると認められる。
「大入賞口１８の下縁に軸支された開閉扉２０と、
　開閉扉２０を開閉動させるソレノイド１９と、
　開閉扉２０の裏側両側縁に一体に形成されている可動片２２に固着した永久磁石２３と、
　開閉扉２０が開くと、永久磁石２３によって作動して開状態の検出信号を発信する検出スイッチ２５を備えた可変入賞装置１６」（以下、「引用発明」という。）  
　
４．対比  
　本願発明と引用発明を対比する。 
　引用発明の「開閉扉２０」は本願発明の「蓋部材」に相当し、以下同様に、「開閉扉を開閉動させるソレノイド１９」は「蓋部材を開閉駆動する駆動手段」に相当し、「永久磁石２３」は「磁石部材」に相当し、「可変入賞装置」は「大入賞ユニット」に相当する。
　引用発明の「開閉扉２０の裏側両側縁に一体に形成されている可動片２２」は、引用文献１の図５に図示されているように、開閉扉に対して「突起」となっているということができるから、本願発明の「蓋部材に一体に形成された突起部分」に相当する。
　引用発明の「永久磁石２３」は、開閉動する開閉扉２０の裏側両側縁に一体に形成されている可動片２２に固着されたものであるから、「蓋部材の開閉にともなって移動する」ものということができ、「蓋部材に一体に形成された突起部分に設けられている」ということができる。
　引用発明の「検出スイッチ２５」は「永久磁石２３によって作動して開状態の検出信号を発信する」ものであるから、「磁気を検出した場合に、磁気検出信号を出力する」点において、本願発明と共通している。
　以上によれば、本願発明と引用発明は、 
「蓋部材と、
　蓋部材を開閉駆動する駆動手段と、
　蓋部材の開閉にともなって移動する磁石部材と、
　磁気を検出した場合に、磁気検出信号を出力する磁気検出手段と、
　を備え、
　前記磁石部材は、前記蓋部材に一体に形成された突起部分に設けられていることを特徴とする大入賞口ユニット。」である点で一致し、以下の点で相違する。  
　
＜相違点＞ 
　磁気検出手段は、本願発明では、蓋部材が閉じた状態において、磁石部材の磁気を検出せず、蓋部材が開いた状態において、前記磁石部材の磁気を検出する位置に設けられているのに対し、引用発明では、蓋部材が閉じた状態において、磁石部材の磁気を検出し、蓋部材が開いた状態において、磁石部材の磁気を検出しない位置に設けられている点で相違している。
　
５．判断  
　上記相違点について検討する。
　原査定の拒絶の理由（平成２２年６月２９日拒絶理由通知）で引用された特開２００１−３２７６８６号公報（以下、「引用文献２」という。）には、「第１実施形態のパチンコ機では、変動入賞装置４０内に、扉４２側を指向して延在するように近接スイッチからなる開放検出用センサ４４が配設されている。・・扉４２が開放され、遊技球が入賞可能な状態（扉が全開状態）になり扉４２の突片４２ｂが、開放検出用センサ４４により検出されると、該開放検出用センサ４４は、主基板側に検出信号を送出する。」（段落【００２２】）と記載されており、「開放検出用センサ４４は扉４２が閉じた状態において突片４２ｂを検出せず、扉４２が開いた状態において突片４２ｂを検出して検出信号を送出する」という技術事項が記載されている。そして、引用文献２の「扉４２」、「突片４２ｂ」は、本願発明の「蓋部材」、「突起部分」に相当する。
　ここで、「近接スイッチからなる開放検出用センサ４４」について検討すると、一般に、「近接スイッチ」とは、リミットスイッチなどの接触式検出方式の代替として、検出対象に接触することなく検出することを目的としているスイッチの総称であって、検出対象の移動情報や存在情報を電気的信号に置き換えるものであって、その検出方式には、電磁誘導により検出対象となる金属体に発生する渦電流を利用する方式、検出体の接近による電気的な容量の変化を捉える方式、磁石やリードスイッチを利用する方式があることは、技術常識である。これは、例えば、特開２００６−１２３９２１号公報の段落【００１２】には「尚、本発明において前記近接スイッチとは、可動部による機械的接触なしに動作する位置検出用スイッチであり、例えば、・・・磁気形近接スイッチ（半導体開閉素子を備え、磁気検出素子と磁石（静磁界）の組合わせにより、検出体が接近したときの磁束変化を利用して検出する近接スイッチ）等を好適に用いることができる（引用：ＪＩＳ  Ｃ  ８２５１−５−２：１９９９）。」と記載され、特開２００６−１３５７１４号公報の段落【００１１】には「近接スイッチとは、可動部による機械的接触なしに動作する位置検出スイッチのことである。・・・磁気形近接スイッチとは、半導体開閉素子を備え、磁気検出素子と磁石（静磁界）の組み合わせにより検出体が接近したときの磁束変化を利用して検出する近接スイッチのことである。」と記載されていることからも、裏付けられる。
　そうすると、引用文献２に記載された技術事項の「開放検出センサ４４」は、本願発明及び引用発明と同様に磁石を検知して信号を出力するものを含むものであることは、当業者にとって自明であり、また、引用発明も引用文献２に記載された技術事項もパチンコ機の蓋部材の開閉を検知するという共通の機能に関するものであるから、引用発明において、引用文献２に記載された技術事項を採用して、引用発明の磁気検出手段が、蓋部材が閉じた状態において、磁石部材の磁気を検出せず、蓋部材が開いた状態において、前記磁石部材の磁気を検出する位置に設けることとして、相違点に係る本願発明の構成とすることに技術的困難性はない。
　
　そして、本願発明の効果は、引用発明、引用文献２に記載された技術事項から当業者が予測できる範囲のものである。 
　 
　したがって、本願発明は、引用発明、引用文献２に記載された発明に基づいて、当業者が容易に発明をすることができたものである。 
　 
６．　むすび 
　以上のとおり、本願発明は、当業者が容易に発明をすることができたものであるから、特許法２９条２項の規定により特許を受けることができない。
　したがって、本願は、他の請求項について検討するまでもなく、拒絶すべきものである。
　よって、結論のとおり審決する。